(57)【特許請求の範囲】
【請求項１】
親局と、複数の子局を有する防災無線システムにおいて、
前記子局の各々は複数のスピーカを備え、
前記親局は、少なくとも地図を表示する表示装置と、前記子局にある前記スピーカの音量に対する音達範囲が記憶されている記憶部と、前記表示装置に表示されている地図上で囲まれた領域を放送対象内地域として選択できる操作部と前記防災無線システムの動作を制御する制御部とを有する操作卓とを備え、
前記操作部より、前記表示装置に表示されている地図上に放送対象内地域が選択された時、
前記操作卓は、選択された前記放送対象内地域にあるスピーカを選択し、同スピーカから音声を出力可能な複数の音達範囲の中から放送対象外地域に放送される範囲が最も小さくなるような音達範囲を選択することを特徴とする防災無線システム。
【請求項２】
前記操作卓は、前記放送対象外地域に設置されたスピーカの中で、前記放送対象内地域に音達範囲が重なるスピーカも選択し、かつ、選択したスピーカから出力可能な複数の音達範囲から前記放送対象内地域にあるスピーカの音達範囲と重ならないような音達範囲を選択することを特徴とする請求項１に記載の防災無線システム。
【請求項３】
親局と、複数の子局を有する防災無線システムにおいて、
前記子局の各々は複数のスピーカを備え、
前記親局は、少なくとも地図を表示する表示装置と、前記子局にある前記スピーカの音量に対する音達範囲が記憶されている記憶部と、前記表示装置に表示されている地図上で囲まれた領域を放送対象外地域として選択できる操作部と前記防災無線システムの動作を制御する制御部とを有する操作卓とを備え、
前記操作部より、前記表示装置に表示されている地図上に放送対象外地域が選択された時、
前記操作卓は、選択された前記放送対象外地域を除く前記防災無線システムの管轄領域を放送対象内地域に設定し、設定した前記放送対象内地域にあるスピーカを選択し、同スピーカから音声を出力可能な複数の音達範囲の中から放送対象外地域に放送される範囲が最も小さくなるような音達範囲を選択することを特徴とする防災無線システム。
【発明の詳細な説明】
【技術分野】
【０００１】
本発明は、屋外に設置されたスピーカを用いて放送を行う防災無線システムに関する。
【背景技術】
【０００２】
防災無線システムは、災害時には住民に対して避難指示等の情報を放送するものである。一方、通常時の防災無線システムは、市役所などの行政機関からのお知らせ（迷子や徘徊老人など）や時報やチャイムなどを、毎日住民に対して放送している。災害時、防災無線システムは屋内および屋外にいる全ての住民に避難指示を伝達する必要があるため、屋外に設置しているスピーカは市役所などの行政機関が管轄している地域に音声が届くように配置されている。
【０００３】
しかし、通常時の防災無線システムは、特定の地域にだけ関係するお知らせなど、全ての住民に伝達する必要性がない情報を放送する場合がある。そのため、放送に関係のない地域の住民にとっては騒音になってしまう場合があった。
【０００４】
そこで、上記の騒音の問題を解決する方法として、特許文献１がある。この特許文献１では、図１４、図１５、図１６に示すように、管轄している地域を複数の区域（Ｉ、ＩＩ、ＩＩＩ）に区分けし、区分けした区域毎でスピーカ２３２の音声を出力できる技術が開示されている。これにより、放送内容に関係のある区域だけに放送することができ、関係のない住民に音声が届いてしまう事がないため、騒音の問題を解決することができる。上記の特許文献１以外には、市役所の職員などの操作者がスピーカの音量を手動で調整する方法もある。
【先行技術文献】
【特許文献】
【０００５】
【特許文献１】特開２０１２−４８７７号公報
【発明の概要】
【発明が解決しようとする課題】
【０００６】
しかし、特許文献１の方法では放送したい地域が予め区分けされているため、例えば片側の川岸にある地域だけに放送しないなどの放送したい地域と予め区分けした地域が一致しない場合、お知らせを伝達したい地域の住民以外にも放送され、騒音の問題が発生するおそれがあった。また、操作者が手動でスピーカの音量を調整する場合、操作者が必要な音量を判断しないといけないため、操作者に負担がかかる問題があった。
【０００７】
そこで、本発明は、上記の問題点を解決するため、操作者の作業負担が少なく、適切な放送地域のみに音声が届くように、自動でスピーカを適宜選択しスピーカから出力された音声が届く範囲（所定の音量の音声が届く範囲。以下、音達範囲と記載）を調整する防災無線システムを提供することを目的としたものである。
【課題を解決するための手段】
【０００８】
上述した課題を解決し、目的を達成するために、本発明の防災無線システムは、表示装置の画面に表示された地図上で地域を囲むことで放送対象内地域を選択し、選択された放送対象内地域にあるスピーカを選択し、選択したスピーカから出力可能な複数の音達範囲の中から放送対象外地域に放送される範囲が小さくなるような音達範囲を選択する。
【０００９】
また、前記放送対象外地域に設置されたスピーカの中で、前記放送対象内地域に音達範囲が重なるスピーカも選択し、かつ、選択したスピーカから出力可能な複数の音達範囲から放送対象内地域にあるスピーカの音達範囲と重ならないような音達範囲を選択する。
【００１０】
または、表示装置の画面に表示された地図上で地域を囲むことで放送対象外地域を選択し、選択された放送対象外地域を除いた地域を放送対象内地域に設定し、設定した放送対象内地域にあるスピーカを選択し、選択したスピーカから出力可能な複数の音達範囲の中から放送対象外地域に放送される範囲が小さくなるような音達範囲を選択する。
【発明の効果】
【００１１】
本発明の防災無線システムによれば、操作者が表示装置の画面上に表示されている地図の中から放送対象内地域または放送対象外地域を囲むだけで、放送対象内地域が選択でき、防災無線システムがスピーカの音達範囲を自動で調整して放送対象内地域に放送するため、操作者に負担かけずに、適切な放送対象内地域にのみ放送することができる。
【図面の簡単な説明】
【００１２】
【図１】図１は、本発明にかかる防災無線システムの構成図である。
【図２】図２は、本発明にかかる操作卓の構成図である。
【図３】図３は、本発明にかかる防災無線システムの実施例１のフロー図である。
【図４】図４は、本発明にかかる地図データを示した図である。
【図５】図５は、本発明にかかる実施例１の放送対象内地域を選択した図である。
【図６】図６は、本発明にかかる実施例１の放送対象内地域に放送する状態を示した図である。
【図７】図７は、本発明にかかる実施例１の放送対象内地域に放送するスピーカを選択する方法が異なる場合を示した図である。
【図８】図８は、本発明にかかる防災無線システムの実施例２のフロー図である。
【図９】図９は、本発明にかかる実施例２の放送対象内地域を選択した図である。
【図１０】図１０は、本発明にかかる実施例２の放送対象内地域に放送する状態を示した図である。
【図１１】図１１は、本発明にかかる防災無線システムの実施例３のフロー図である。
【図１２】図１２は、本発明にかかる実施例３の放送対象外地域を選択した図である。
【図１３】図１３は、本発明にかかる実施例３の放送対象内地域に放送する状態を示した図である。
【図１４】図１４は、従来発明にかかる防災無線システムの構成図である。
【図１５】図１５は、従来発明にかかる防災無線システムの構成図である。
【図１６】図１６は、従来発明にかかる防災無線システムの構成図である。
【発明を実施するための形態】
【００１３】
以下に、本発明にかかる防災無線システムの実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。
【００１４】
本発明にかかる防災無線システム１００の構成について図１を基に説明する。防災無線システム１００は、親局１０と複数の屋外子局２０で構成されている。なお、上記構成に加えて、親局１０からの通信を屋外子局２０に中継する中継局を設置しても良い。屋外子局２０は図４に示すように子局Ａ、子局Ｂ、子局Ｃ、子局Ｄのように複数ある子局のことである。
【００１５】
親局１０は、例えば行政機関である市役所に設置される。この親局１０は、無線部１１、操作卓１２、表示装置１４および記憶部１５を設けている。無線部１１は、親局１０から屋外子局２０に放送内容などの情報を送信するためのものである。操作卓１２は、操作者が防災無線システム１００に情報を入力するための操作部１３と、防災無線システム１００の動作を制御する制御部１６とを備えている。本発明の操作部１３は、タッチパネルやマウス、キーボードなどから構成され、放送対象内地域の選択などの情報を入力することができる。この操作卓１２は、操作部１３より入力された情報を制御部１６で処理している。また、操作卓１２は表示装置１４と接続され、操作部１３より入力された放送対象内地域を表示装置１４に表示させ、さらに、表示装置１４には、管轄地域内にある道路および建物などを示した地図と屋外子局２０とこの屋外子局２０にあるスピーカの音達範囲（音達範囲Ａａ〜音達範囲Ｄｄ）とが表示される。記憶部１５には、図４に示すような、表示装置１４に表示される地図データ上に表示される、子局（子局Ａ、子局Ｂ、子局Ｃ、子局Ｄ）にあるスピーカの音達範囲に関するデータが記憶されており、操作卓１２は記憶部１５に記憶されているデータを読み出すことができる。
【００１６】
記憶部１５に記憶されているデータについて図４を基に説明する。記憶部１５には、防災無線システム１００の管轄地域の地図データと、その地域内に設置されている屋外子局２０（子局Ａ、子局Ｂ、子局Ｃ、子局Ｄ）の位置と、各子局に設置され四方に向けられたスピーカが音声を伝達できる範囲である音達範囲（音達範囲Ａａ、音達範囲Ａｂ、・・・、音達範囲Ｄｃ、音達範囲Ｄｄ）が記憶されている。また、各スピーカの出力する音量（大、中、小）に対応する音達範囲が記憶部１５に記憶されている。音達範囲はスピーカの出力値に対して比例しており、図４に示すように、音量「大」の音達範囲は外側の楕円で示す範囲となり、音量「小」の音達範囲は内側の楕円で示す範囲となり、音量「中」の音達範囲は音量「大」と音量「小」との間にある楕円で示す範囲となる。なお、本発明のスピーカの音達範囲が楕円形状しているのは指向性スピーカなどスピーカの特性によるものであり、本発明は楕円形状の音達範囲に限定したものではなく、防災無線システム１００の設計仕様に応じて、円形状や他の形状をした音達範囲を持つスピーカを用いても良い。
【００１７】
各子局には４つのスピーカが各々四方に向けられた状態で設置され、親局１０の無線部１１から送信された信号を受信し、受信した信号を音声信号に変換して、親局１０より設定された音量でスピーカから拡声音声を出力して地域住民に知らせている。
【００１８】
次に、防災無線システム１００の動作について、以下に説明する。
操作者が操作卓１２の操作部１３を操作して、管轄地域の地図を表示装置１４に表示させ、表示させた地図の中から、指でタッチパネルを操作して、放送対象内地域を囲む。この操作で操作卓１２は、放送対象内地域が選択されたと判断する。なお、本発明の防災無線システムでは、表示装置１４がタッチパネルを備え、操作者が画面を指で触れて放送対象内地域を囲んでいるが、本発明はこれに限定したものではなく、マウスを操作してマウスポインタで放送対象内地域を囲んでも良い。また、本発明の防災無線システムは、上記のように放送対象内地域を囲むだけなく、操作者が放送対象外地域を囲むことで、操作卓１２が放送対象外地域を除いた地域を放送対象内地域として設定するようにしても良い。
【００１９】
操作卓１２は、放送対象内地域にある子局に設置されているスピーカを放送対象のスピーカとして選択する。次に、操作卓１２は、記憶部１５から選択したスピーカの音達範囲に関するデータを読み出す。読み出したデータを基に、各スピーカの複数の音達範囲の内、放送対象外地域に伝達する範囲を最小にするように各スピーカの音達範囲を選択する。放送対象外地域に伝達する範囲を最小にする方法の一例としては、放送対象外地域まで広がる音達範囲の中で、最小の音達範囲を選択する。なお、本発明はこれに限定したものではなく、図７に示すようにスピーカの音達範囲が放送対象内地域に完全に収まる音量の音達範囲だけを選択するなど、防災無線システム１００の運用に適宜合わせて変更しても良い。
【００２０】
操作卓１２は、選択したスピーカに、選択した音達範囲に対応する音量で放送するように、無線部１１を介して選択したスピーカを備える各子局に指示する。これにより、放送対象内地域には必要な音量で放送でき、放送対象外地域には出来るだけ音声が届かないようにすることができる。
【実施例１】
【００２１】
防災無線システム１００の管轄地域の中で、図５に示すように、太線枠内を放送対象内地域３０とした場合を実施例１として、図３のフロー図を基に以下に説明する。
【００２２】
操作者が、操作卓１２に備えられている操作部１３であるタッチパネルを操作して、表示装置１４に表示されている地図上に、図５に示すように、放送対象内地域３０を指で触れて囲むことで、操作卓１２は、操作者の指が触れた箇所を太線で表示し、放送対象内地域３０が選択されたと判断する（Ｓ１０１−ＹＥＳ）。
【００２３】
次に、操作卓１２内にある制御部１６は選択された放送対象内地域３０にある子局Ａ、子局Ｂに備わっているスピーカを放送対象のスピーカとして選択する（Ｓ１０２）。
【００２４】
操作卓１２は放送対象に選択したスピーカの音達範囲（音達範囲Ａａ、音達範囲Ａｂ、音達範囲Ａｃ、音達範囲Ａｄ、音達範囲Ｂａ、音達範囲Ｂｂ、音達範囲Ｂｃ、音達範囲Ｂｄ）を記憶部１５より読み出す（Ｓ１０３）。
【００２５】
操作卓１２は、選択された放送対象内地域３０に収まるように各スピーカの音達範囲を選択する（Ｓ１０４）。操作卓１２は子局Ａにあるスピーカの音達範囲Ａａの音量「大」、「中」、「小」の各音達範囲の外枠が放送対象内地域３０の太枠と交差しているか否かを判断する。音達範囲Ａａは図６に示すように交差する音達範囲は無いので、操作卓１２は「大」、「中」、「小」の音達範囲全てが放送対象内地域３０に収まっていると判断する。そして、操作卓１２は収まっている音達範囲の中で、最大の音量である音量「大」の音達範囲を選択する。
【００２６】
次に、操作卓１２は音達範囲Ａｂの音量「大」、「中」、「小」の各音達範囲が放送対象内地域３０の太枠と交差するか否かを判断する。音達範囲Ａｂは図６に示すように音量「大」の音達範囲が放送対象内地域３０の太枠と交差する。よって、操作卓１２は交差する音量の中で最小の音量である音量「大」の音達範囲を選択する。操作卓１２は他の音達範囲Ａｄおよび音達範囲Ｂａ、音達範囲Ｂｂ、音達範囲Ｂｃ、音達範囲Ｂｄも上記の音達範囲（Ａａ、Ａｂ）と同様に音達範囲を選択する。実施例１では、操作卓１２は、音達範囲Ａｃには音量「大」の音達範囲を選択し、音達範囲Ａｄには音量「大」の音達範囲を選択し、音達範囲Ｂａには音量「大」の音達範囲を選択し、音達範囲Ｂｂには音量「小」の音達範囲を選択し、音達範囲Ｂｃには音量「小」の音達範囲を選択し、音達範囲Ｂｄには音量「中」の音達範囲を選択する。
【００２７】
選択した各スピーカで放送される音量の音達範囲の選択が完了した後、操作卓１２は選択したスピーカに対して、各スピーカで選択した音達範囲に対応する音量で放送するように、無線部１１を介して操作卓１２が子局Ａと子局Ｂに指示する（Ｓ１０５）。
【実施例２】
【００２８】
防災無線システム１００の管轄地域の中で、図９に示すように、太線枠内を放送対象内地域４０とした場合を実施例２として、図８のフロー図を基に以下に説明する。
【００２９】
実施例１と同様に、操作者は、操作卓１２に備えられている操作部１３であるタッチパネルを操作して、表示装置１４に表示されている地図上に、図９に示すように、放送対象内地域４０を指で触れて囲むことで、操作卓１２は、操作者の指が触れた箇所を太線で表示し、放送対象内地域４０が選択されたと判断する（Ｓ２０１−ＹＥＳ）。
【００３０】
次に、操作卓１２は選択された放送対象内地域４０にある子局Ａ、子局Ｂを選択する。そして、操作卓１２は選択した子局に備わっているスピーカを放送対象のスピーカとして選択する（Ｓ２０２）。さらに、実施例２では、図１０の音達範囲Ｄａに示すように、操作卓１２は放送対象外地域にある子局の中で、放送対象内地域４０と一部が重なる音達範囲Ｄａを持つスピーカも放送対象のスピーカとして選択する（Ｓ２０３）。
【００３１】
操作卓１２は放送対象に選択したスピーカの音達範囲（音達範囲Ａａ、音達範囲Ａｂ、音達範囲Ａｃ、音達範囲Ａｄ、音達範囲Ｂａ、音達範囲Ｂｂ、音達範囲Ｂｃ、音達範囲Ｂｄ、音達範囲Ｄａ）に関するデータを記憶部１５より読み出す（Ｓ２０４）。
【００３２】
操作卓１２は、選択された放送対象内地域４０に収まるように各スピーカの音達範囲を選択する（Ｓ２０５）。操作卓１２は子局Ａと子局Ｂにあるスピーカの音達範囲Ａａ〜Ｂｄは実施例１と同様に音達範囲を選択する。実施例２では、操作卓１２は、音達範囲Ａａには音量「大」の音達範囲を選択し、音達範囲Ａｂには音量「大」の音達範囲を選択し、音達範囲Ａｃには音量「大」の音達範囲を選択し、音達範囲Ａｄには音量「大」の音達範囲を選択し、音達範囲Ｂａには音量「大」の音達範囲を選択し、音達範囲Ｂｂには音量「小」の音達範囲を選択し、音達範囲Ｂｃには音量「小」の音達範囲を選択し、音達範囲Ｂｄには音量「大」の音達範囲を選択する。
【００３３】
音達範囲Ｄａは放送対象外地域にあるスピーカの音達範囲より、操作卓１２は音達範囲Ｄａが放送対象内地域４０にあるスピーカの音達範囲（Ａａ〜Ｂｄ）と重ならない範囲で、放送対象内地域４０と重なる範囲が広くなる音量の音達範囲を選択する。実施例２では、操作卓１２は図１０に示すように、音達範囲Ｄａには音量「大」の音達範囲を選択する。
【００３４】
選択した各スピーカで放送される音量の音達範囲の選択が完了した後、操作卓１２は選択したスピーカに対して、各スピーカで選択した音達範囲に対応する音量で放送するように、無線部１１を介して操作卓１２が選択したスピーカを備える子局Ａと子局Ｂと子局Ｄに指示する（Ｓ２０６）。実施例２では、この音達範囲Ｄａにより、子局Ａと子局Ｂが放送音を伝達できない範囲に放送音を伝達することができる。
【００３５】
以上より、実施例１、実施例２の防災無線システム１００では、操作者は簡単な操作で、放送対象内地域（３０、４０）に対しては必要な音量で放送でき、放送対象内地域（３０、４０）外には最小限の範囲で放送することで、騒音の問題を解決することができる。
【実施例３】
【００３６】
実施例１、実施例２では、操作者が放送対象内地域（３０、４０）を囲んだ場合について説明したが、図１２に示すように操作者が放送対象外地域５０を囲んだ場合を実施例３として、図１１のフロー図を基に以下に説明する。
【００３７】
操作者が、操作卓１２に備えられている操作部１３であるタッチパネルを操作して、表示装置１４に表示されている地図上に、図１２に示すように、放送対象外地域５０を指で触れて囲むことで、操作卓１２は、操作者の指が触れた箇所を太線で表示し、放送対象外地域５０が選択されたと判断する（Ｓ３０１−ＹＥＳ）。操作卓１２は、選択された放送対象外地域５０を除く防災無線システム１００が管轄する領域を放送対象内地域５１と設定する。（Ｓ３０２）
【００３８】
以下は実施例１と同様に、操作卓１２が、放送対象内地域５１にあるスピーカを放送対象のスピーカとして選択し（Ｓ３０３）、選択した各スピーカの音達範囲を記憶部から読み出し（Ｓ３０４）、図１３に示すように選択された放送対象内地域５１に収まるように各スピーカの音達範囲を選択し（Ｓ３０５）、無線部１１を介して選択したスピーカに選択した音達範囲に対応する音量で放送するように指示する（Ｓ３０６）。
【００３９】
以上より、本実施例の防災無線システム１００では、操作者は簡単な操作で、放送対象内地域５１には必要な音量で放送でき、放送対象外地域５０に対しては最小限の範囲で放送することで、騒音の問題を解決することができる。
【００４０】
なお、本発明の防災無線システム１００は、選択した放送対象内地域（３０、４０、５１）又は放送対象外地域５１を記憶部１５に記憶させ、再度放送する時に記憶させた放送対象内地域を読み出すことで再度放送対象内地域又は放送対象外地域を選択する手間を省いても良い。また、読み出す時に記憶させた複数の放送対象内地域又は放送対象外地域を同時に読み出して、複数の放送対象内地域又は放送対象外地域を組み合わせても良い。
【符号の説明】
【００４１】
１００    防災無線システム
１０      親局（市役所）
１１      無線部
１２      操作卓
１３      操作部
１４      表示装置
１５      記憶部
１６      制御部
２０      屋外子局
３０      放送対象内地域
４０      放送対象内地域
５０      放送対象外地域
５１      放送対象内地域
【図１】
0005900145.tif 000002
【図２】
0005900145.tif 000003
【図３】
0005900145.tif 000004
【図４】
0005900145.tif 000005
【図５】
0005900145.tif 000006
【図６】
0005900145.tif 000007
【図７】
0005900145.tif 000008
【図８】
0005900145.tif 000009
【図９】
0005900145.tif 000010
【図１０】
0005900145.tif 000011
【図１１】
0005900145.tif 000012
【図１２】
0005900145.tif 000013
【図１３】
0005900145.tif 000014
【図１４】
0005900145.tif 000015
【図１５】
0005900145.tif 000016
【図１６】
0005900145.tif 000017